(57)【要約】      （修正有）【課題】不特定多数の人が触れる部位に手が触れる際に、菌やウイルスの手への付着を効率的に防止するとともに、安価な抗菌性指サックを提供する。【解決手段】ポリマー、ゴム、布、革、紙、又は、それらのいずれかにアルミ薄膜コーティングを施した素材を用いて形成された指サック基体Ａ１の外面に抗菌作用のある少なくとも１個以上の平板状、曲板状、管状、又はそれらの２つ以上を組合わせた形状の抗菌性部材Ｃ１１、Ｃ２１が貼り付けられており、抗菌性部材は指サックを指に装着したときに指の腹側となる部分をカバーするに足る大きさであり、指サックを指に装着したときに指サック基体の指の関節部と対向する部分には貼り付けられていないことを特徴とする。【選択図】図１
0003228329.tif 000002
【実用新案登録請求の範囲】
【請求項１】
ポリマー、ゴム、布、革、紙、又は、それらのいずれかにアルミ薄膜コーティングを施した素材を用いて形成された指サック基体の外面に抗菌作用のある少なくとも１個以上の平板状、曲板状、管状、又はそれらの２つ以上を組合わせた形状の抗菌性部材が貼り付けられており、前記抗菌性部材は前記指サックを指に装着したときに指の腹側となる部分をカバーするに足る大きさであり、前記指サックを指に装着したときに前記指サック基体の指の関節部と対向する部分には貼り付けられていないことを特徴とする抗菌性指サック。
【請求項２】
前記抗菌性部材が指の長さ方向に沿って少なくとも２個以上、前記指サック基体に張り合わされており、指の先端側に位置する先端側抗菌性部材が、それよりも指の付け根側に位置する付け根側抗菌性部材の下側又は内側に重ねて収容可能な大きさ及び形状を有している請求項１記載の抗菌性指サック。
【請求項３】
前記抗菌性部材が、中心軸が指の長手方向を向いた断面円弧状の管状部材であり、前記円弧の外周長が円周長の２０％以上９０％以下で、残部に開口部を有することを特徴とする請求項１又は２に記載された抗菌性指サック。
【請求項４】
前記指サック基体の前記抗菌性部材が貼り付けられていない先端部分に、銅または銀を塗装または蒸着し、薄膜を形成したことを特徴とする請求項１〜３のいずれかに記載の抗菌用指サック。
【請求項５】
前記指サック基体の外面に前記抗菌性部材が面ファスナーで貼り付けられていることを特徴とする請求項１〜４のいずれかに記載の抗菌性指サック。
【請求項６】
請求項１〜５のいずれかに記載の抗菌性指サックを、手の５指から選ばれる２本、３本、４本、又は５本指用に組合わせてなる抗菌性指サックセット。
【考案の詳細な説明】
【技術分野】
【０００１】
本考案は、不特定多数の人が利用する部位に手が触れる時に菌やウイルスが直接手に付着することを防止するための抗菌性指サックに関する。
【背景技術】
【０００２】
公共交通機関の吊革、ドアノブ、エスカレーターや階段の手摺り等、不特定多数の人が触れる部位には、菌やウイルス等の病原体が多数付着しており、これらの部位に手が触れると、手には菌やウイルスが付着する。菌やウイルスが付着した手で口や目、鼻を触ると、菌やウイルスが体内に侵入し、感染する恐れがある。手袋等の保護具を嵌めれば、菌やウイルスが付着した吊革、ドアノブ、手摺り等に直接手が触れることはなくなるが、手袋等の保護具には菌やウイルスが付着することになるため、手袋を着脱する際に菌やウイルスが手に付着し、これにより感染する危険性がある。
【０００３】
銅、銀等の金属やこれらの合金に抗菌作用、抗ウイルス作用があることは従来から知られており、これらの抗菌素材を用いた手袋や指サックが報告されている。例えば、特許文献１には、銀、銅、亜鉛の内少なくとも一種を含む抗菌剤を含有するゴム材料からなるゴム製指サックまたはゴム製手袋が開示されている。しかしながら、銀、銅、亜鉛等を、当該指サック等の原料であるゴムラテックスまたは生ゴムに混合するには手間がかかるとともに、多くの添加剤の使用が必要となるので、製品が高価なものになってしまう。
【０００４】
また、特許文献２には、ポリマーのスラリーに銅の粉末を分散させ、押し出し成型して製造される抗菌性および抗ウイルス性のポリマー材料が開示されており、外科用手袋を形成するのに好適であることが記載されている。しかしながら、ポリマーのスラリーに銅を分散させるには手間がかかるため、製品が高価なものになってしまう。
【０００５】
他方、最近では、抗菌性を示す金属材料からなる把持具が考案されており、例えば、非特許文献１に見られるような、吊革やドアノブ等を直接手に触れずに持つことができる銅製の器具が知られている。しかしながら、これらの器具は、金属を多く使用するので高価であると共に軽量ではない。また、吊革やドアノブを金属製の部材で挟んで把持することとなるので、手袋や指サック等と比較すると安定に物を把持できないという点で、使用感には改善の余地がある。
【先行技術文献】
【特許文献】
【０００６】
【特許文献１】特開平０９−１１１０５３号公報
【特許文献２】特開２０１２−２２９４２４号公報
【非特許文献】
【０００７】
【非特許文献１】“ギルドデザイン「純銅削り出しアシストフック」受注再開のご案内”、［ｏｎｌｉｎｅ］、有限会社ギルドデザイン、２０２０年５月２９日、［令和２年６月３０日検索］、インターネット、＜ＵＲＬ：ｈｔｔｐｓ：／／ｗｗｗ．ｇｉｌｄｄｅｓｉｇｎ．ｃｏｍ／ｍａｉｌ１５３−ａｓｓｉｓｔｈｏｏｋ．ｈｔｍｌ＞
【考案の概要】
【考案が解決しようとする課題】
【０００８】
本考案は、従来技術に見られる上記の課題を解決するために為されたものであり、不特定多数の人が触れる部位に手が触れる際に、菌やウイルスの手への付着を効率的に防止するとともに、安価な抗菌性指サックを提供することを課題とする。
【課題を解決するための手段】
【０００９】
上記課題を解決すべく鋭意研究努力を重ねた結果、本考案者は、日常生活において、公共交通機関の吊革、ドアノブ、エスカレーターや階段の手摺り等を把持する際に、手がこれらの物と直接接触する部位は限られていることに着目した。そして、指サックにおいて、物を把持する際に当該物と直接接触する機会が多い部分にのみ、選択的に抗菌性部材を配置することにより、極めて少量の抗菌性部材を用いて、感染力のある菌やウイルスの手への付着を十分に抑制することができることを見出し、本考案を完成した。
【００１０】
すなわち、本考案は、ポリマー、ゴム、布、革、紙、又は、それらのいずれかにアルミ薄膜コーティングを施した素材を用いて形成された指サック基体の外面に抗菌作用のある少なくとも１個以上の平板状、曲板状、管状、又はそれらの２つ以上を組合わせた形状の抗菌性部材が貼り付けられており、前記抗菌性部材は前記指サックを指に装着したときに指の腹側となる部分をカバーするに足る大きさであり、前記指サックを指に装着したときに前記指サック基体の指の関節部と対向する部分には貼り付けられていないことを特徴とする抗菌性指サックを提供することによって、上記課題を解決するものである。
【００１１】
上記のとおり、本考案の抗菌性指サックにおいて、ベースとなる指サックの材料はポリマー製、ゴム製、布製、革製、又はそれらのいずれかにアルミ薄膜コーティングをしたものであって良く、市販されている手袋と同じ材料であっても良い。アルミ薄膜コーティングは、アルミ蒸着であっても良いし、アルミ箔を貼り合わせたものであっても良い。それ以外に、紙や、紙にアルミ薄膜をコーティングした材料であっても良い。市販の指サックをそのまま用いても良い。ベース（基体）となる指サックの寸法は、指が脱着し易いことが必要であるので、指よりも大きめにするのが良い。
【００１２】
抗菌性部材の形状は、平板状、曲板状、管状、又はそれらの２つ以上を組合わせた形状であって良い。貼り付けられる抗菌性部材の長さが指の関節間の長さより長いと指が曲げ難くなるので、抗菌性部材の長さは、指の関節間の長さより短くするのが良く、指サックを指に装着したときに指サック基体が指の関節部と対向する部分には貼り付けられていないのが望ましい。抗菌性部材は、１本の指に１個でも良いが、第１関節と第２関節の間である中節部に対応する部分に貼り付ける上部抗菌性部材と、第２関節と第３関節の間である基節部に対応する部分に貼り付ける下部抗菌性部材との２個を貼り付けるのが好ましい。
【００１３】
また、指サック基体に貼り付ける抗菌性部材の大きさは、本考案の指サックを指に装着したときに指の腹側となる部分をカバーするに足る大きさであるのが良い。
【００１４】
このように、本考案に係る抗菌性指サックは、物を把持する際に当該物と直接接触する機会が多い部分である、指の中節部の指の腹側部分及び／又は指の基節部の指の腹側部分に対応する部分に選択的に抗菌部を備えることにより、抗菌性素材の使用量が少量であるにもかかわらず、感染力のある菌やウイルスの手への付着を十分に抑制することができる。
【００１５】
また、上述したとおり、本考案に係る抗菌性指サックにおいて、上部抗菌性部材は、指サックが指に装着された状態で、指の第１関節と第２関節の間である中節部に位置し、下部抗菌性部材は、指サックが指に装着された状態で、指の第２関節と第３関節の間である基節部に位置している。このように、本考案に係る抗菌性指サックにおいては、抗菌性部材が、指の関節部分を境にして、各関節の間に位置するように互いに分離して設けられているので、指サックを装着した状態であっても、貼り付けられている抗菌性部材が指関節の曲げ伸ばしの邪魔にならず、滑らかな指の動作が可能となる。
【００１６】
また、本考案の抗菌性指サックにおいて、上部抗菌性部材と下部抗菌性部材とは同じ大きさであっても良いが、好適な一態様において、少なくとも２個以上の抗菌性部材が指の長さ方向に沿って指サック基体に張り合わされている場合には、指の先端側に位置する先端側抗菌性部材が、それよりも指の付け根側に位置する付け根側抗菌性部材の下側又は内側に重ねて収容できる大きさ及び形状を有しているのが好ましい。例えば、２個以上の抗菌性部材がいずれも管状である場合には、上部抗菌性部材の外径を下部抗菌性部材の内径よりも小とするのが好ましい。このように構成されている場合には、抗菌性指サックを使用しない場合には、上部抗菌性部材を下部抗菌性部材の内側に入れて、コンパクト収納が可能になり、持ち運びに便利である。ただし、指サック基体への上部抗菌性部材及び下部抗菌性部材の貼り付け位置は、一方を他方の内側に入れる際に必要となる指サック基体の収納長さを考慮して、両者の間に距離をあけた位置とするのが良い。これは、抗菌性部材の形状が管状以外の場合についても同様である。
【００１７】
抗菌性部材の厚さは薄い方が軽く、好ましいので、出来れば１ｍｍ以下が好ましい。但し、０．１ｍｍ未満になると強度が低くなるとともにコスト高となり好ましくない。抗菌性部材を構成する材料としては抗菌性を有するものであれば良く、特に拘るものではないが、例えば、通常抗菌性があるといわれている銅や銀等の金属又は合金を用いて抗菌性部材とするのが良い。抗菌性のフィルムや、抗菌処理された合成樹脂シートなどを用いても良い。
【００１８】
また、本考案の抗菌性指サックを構成する抗菌性部材の形状は管状に限られない。管状であっても良いのは勿論であるが、指の甲側の部分は、通常、対象物と触れることが少ないので、装着したとくに指の甲側となる部分には、抗菌性部材を設けなくても良い。この場合、抗菌性部材は、部分的に切り欠かれた円筒状となり、その断面形状は指の長さ方向を中心軸方向とする断面円弧状の円筒形状となるが、円弧の外周の長さは、切り欠きの無い場合の円筒の円周全長の２０％以上９０％以下とするのが良い。円弧の外周の長さが円周全長の２０％未満になると、抗菌性部材が貼り付けられていない部分で指サックが対象物と接触し、感染力のある菌やウイルスが指サックに付着する危険性が増大することとなるので好ましくない。逆に、円弧の外周の長さが円周全長の９０％超になると、指サックを装着した状態での指の曲げ伸ばし動作が制限され使用感が悪くなるとともに、比較的高価な抗菌性の素材の使用量が増え、抗菌性指サックが高価になるので好ましくない。円弧の長さは、円周全長の四分の１（２５％）から４分の３（７５％）でも良い。これらの場合、抗菌性部材は、円筒状の円弧状でない残部に開口部が有することになる。なお、抗菌性部材が円弧状の場合には、抗菌性指サックを折り畳むことができるので、その寸法は限定する必要がない。
【００１９】
また、本考案の抗菌性指サックは、好適な一態様において、前記指サック基体の前記抗菌性部材が貼り付けられていない先端部分に、銅または銀を塗装または蒸着し、抗菌性の薄膜が形成されている。本考案に係る抗菌性指サックが指サックの先端部に抗菌性の薄膜を備えている場合には、エレベーターのボタンを押す場合や、タッチパネルを使用する場合などにこの指先部分を使用することができるので、極めて便利である。
【００２０】
さらに、本考案の抗菌性指サックにおいて、抗菌性部材は接着剤を用いて指サック基体に貼り付けられていても良いが、例えば、面ファスナーを用いて、抗菌性部材を指サック基体に着脱自在に貼り付ける場合には、抗菌性部材又は指サック基体のいずれかが劣化などして取り替えが必要となった場合にも、容易に取り替えられるので便利である。
【００２１】
また、本考案の抗菌性指サックは、人差し指、中指、薬指、小指、及び親指のうちのいずれか一本用であっても良いし、隣り合う、又は隣り合わない二本乃至五本の指用の抗菌性指サックを組合わせ、又は繋ぎ合わせて、抗菌性指サックセットとしても良い。
【考案の効果】
【００２２】
本考案によれば、物を把持する際に当該物と直接接触する機会が多い部分である、指の中節部の指の腹側部分及び／又は指の基節部の指の腹側部分に対応する部分に選択的に配置することにより、少量の抗菌性素材で、感染力のある菌やウイルスの手への付着を十分に抑制することができるので、抗菌性指サックを安価に提供することができる。また、本考案に係る抗菌性指サックは、抗菌性素材の使用量が少ないため軽量であるとともに、１つ又は複数の抗菌部が、指の関節部分を境にして、各関節の間に位置するように設けられているので、指サックを装着した状態であっても、抗菌部が関節の曲げ伸ばし動作の邪魔にならず、滑らかな指の動作が可能となる。
【図面の簡単な説明】
【００２３】
【図１】本考案の一の実施形態である抗菌性指サックが、一本の指に嵌められた状態を示す図である。
【図２】図１に示す抗菌性指サックにおいて、下部抗菌性部材（Ｃ２１）を構成する銅管の内側に、上部抗菌性部材（Ｃ１１）を構成する銅管を収納した状態を示す図である。
【図３】本考案の他の一の実施形態である抗菌性指サックが、一本の指に嵌められた状態を示す図である。
【図４】図３に示す抗菌性指サックを、下部抗菌性部材Ｃ１２を含む水平面で切断した切断面を表す端面図である。
【図５】人差し指と中指の二本指用の抗菌性指サックを、人差し指及び中指に装着した状態を示す図である。
【考案を実施するための形態】
【００２４】
以下、本考案に係る抗菌性指サックについて説明する。
【実施例１】
【００２５】
図１は、本考案の一の実施形態である抗菌性指サックが、一本の指に嵌められた状態を示すものである。図１中、Ａ１は抗菌性指サックのベース（基体）となる指サックの本体、Ｃ１１及びＣ２１は、それぞれ、ベースとなる指サック基体（Ａ１）に貼り付けられた上部抗菌性部材Ｃ１１、下部抗菌性部材Ｃ２１を示している。因みに、上部抗菌性部材Ｃ１１は、指の第１関節と第２関節の間の部分、下部抗菌性部材Ｃ２１は、指の第２関節と第３関節の間の部分に対向するように、指サック基体Ａ１に貼り付けられている。
【００２６】
また、本例において、上部及び下部抗菌部材は抗菌作用のあるリング状（管状）の銅管で構成されている。また、ベース（基体）となる指サックは、一般に手袋として使用されているポリマー製、ゴム製、布製、革製、紙製、又はそれらのいずれかにアルミ薄膜コーティングを施した材料が用いられる。指サックの内寸は、指への着脱が容易でなければならないので、指の太さよりも余裕を持った大きさにすべきである。指サックの長さは、指の長さの±５ｍｍ程度以下のものが使用可能である。
【００２７】
抗菌性部材として使用する銅管は、リング状（管状）で、その内径は指サック基体の外径とほぼ同寸に近いものが好ましい。本例において、銅管は上部抗菌性部材Ｃ１１又は下部抗菌性部材Ｃ２１として２個貼り付けられているが、銅管は１個であっても良く、その場合は、第１関節と第２関節の間に位置するように指サック基体に貼り付けるのが好ましい。ただし、第１関節と第２関節の間だけでなく、第２関節と第３関節の間にも位置するように２個目の抗菌性部材を指サック基体に貼り付けるのが好ましい
【００２８】
図１の例において、抗菌性部材は上部抗菌性部材Ｃ１１と下部抗菌性部材Ｃ２１は、指の外周形状に沿った略円筒状に形成した銅管であるが、上部抗菌性部材Ｃ１１と下部抗菌性部材Ｃ２１の二つに分離されているので、指の動きが容易となり、例えば、吊革を持ちやすくなる。上部抗菌性部材Ｃ１１と下部抗菌性部材Ｃ２１との間に隙間があっても指サック基体Ａ１が吊革などに触れることはない。勿論、対象とする指が親指の場合は、抗菌性部材は、第１関節と第２関節との間のみに貼り付けられていても問題はない。抗菌性部材を構成する銅管の指の長さ方向の長さは、各関節間の長さで決まるが、概略５〜２０ｍｍが一般的である。銅管の厚さはできるだけ薄くした方が軽く使い易い。しかし、薄くなりすぎると、使用している間に変形してしまったり、加工が困難になり、コストが高くなるので、概略０．１ｍｍ〜１ｍｍ程度が良い。更には０．２ｍｍ〜０．５ｍｍが好適である。
【００２９】
指サック基体Ａ１と、上部及び下部抗菌性部材Ｃ１１、Ｃ２１との貼り付けは、樹脂タイプの接着剤を用いて貼り付けても良いし、後述する面ファスナーを用いても良く、特に限定されるものではない。
【００３０】
ベースとなる指サックの本体の形状については、指サックが指に装着可能である限り、特に制限はない。例えば、図１に示したように、指サックの指先部が閉じられたものである必要はなく、指先部が開いた略円筒状の指サックであっても良い。また、指に装着可能である限り、指サックの寸法にも特に制限はないが、指への着脱が容易であることが望ましいので、指サックの内寸は指よりやや大きめとすることが好ましい。指サックの長さは、前述したとおり、想定される指の長さの±５ｍｍ程度以下とすることが好ましい。
【００３１】
一方、上部抗菌性部材及び下部抗菌性部材を構成する抗菌性部材としては、成形性や価格の観点からは、図示の例のように、銅、またはその合金を特に好適に使用することができる。しかしながら、抗菌性部材は、必ずしも銅管である必要はなく、銅、銀、亜鉛等の金属、または、それらの合金等の抗菌性を有する適宜の材料から形成されたものであっても良い。また、抗菌作用を有する金属製の材料を樹脂またはゴム等に配合した複合材料からなる抗菌性部材を用いても良いことは勿論である。
【００３２】
上部抗菌性部材及び下部抗菌性部材の形状は、上部抗菌性部材が、指サックが指に装着された状態で、指の第１関節と第２関節の間である中節部に位置し、少なくとも当該中節部の指の腹側に位置するものであり、下部抗菌性部材が、指サックが指に装着された状態で、指の第２関節と第３関節の間である基節部に位置し、少なくとも当該基節部の指の腹側に位置するものである限り特段の制限はないが、例えば、略矩形の抗菌性部材を指の外周形状に沿った略円筒状又は略円弧状に形成したものを好適に用いることができる。
【００３３】
本実施形態において、抗菌性指サックが備える上部抗菌性部材Ｃ１１を構成する銅管の外径は、下部抗菌性部材Ｃ２１を構成する銅管の内径よりも小さく設計されているので、例えば、図２に示すように、下部抗菌性部材Ｃ２１を構成する銅管の内側に、上部抗菌性部材Ｃ１１を構成する銅管を収納することができる。このように、一方の抗菌性部材を他方の抗菌性部材の内側に入れ子式に収納可能である場合には、抗菌性指サックを使用しない時に、カバンやポケット等にコンパクトに収納することが可能であり、また、持ち運びにも便利であるという利点がある。
【００３４】
なお、抗菌性部材の形状が管状以外の場合であっても、一方の抗菌性部材（通常は指の先端側に位置する抗菌性部材）の大きさ及び形状を、他方の抗菌性部材（通常は指の付け根側に位置する抗菌性部材）の下側又は内側に重ねて収容可能な大きさ及び形状とすることによって、一方を他方の内側又は下側に入れ子式に収容することができ、コンパクト収納が可能となる。その場合、上部抗菌性部材Ｃ１１と指サック基体Ａ１との接着は、指サック基体Ａ１の外面に上部抗菌性部材Ｃ１１の内面を貼り付けることで良いが、下部抗菌性部材Ｃ２１と指サック基体Ａ１との貼り付けは、下部抗菌性部材Ｃ２１の外面の一部または底面を指サック基体Ａ１に貼り付けるようにするのが好ましい。
【００３５】
抗菌性部材が３つ以上に分割されている場合にも、より指の先端側に位置する抗菌性部材の大きさ及び形状を、より指の付け根側に位置する抗菌性部材の下側又は内側に重ねて収容できる大きさ及び形状とすることによって、コンパクト収納を実現できる。
【実施例２】
【００３６】
図３は、本考案の他の実施形態である抗菌性指サックが、一本の指に嵌められた状態を示すものである。図３中、Ａ１は抗菌性指サックのベースとなる指サック基体、Ｃ１２及びＣ２２は上部抗菌性部材及び下部抗菌性部材を示しており、上部抗菌性部材Ｃ１１及び下部抗菌性部材Ｃ２１が、ベースとなる指サック基体Ａ１の所定の位置に設けられている点は、図１に示した例と同様である。
【００３７】
一方、図３に示す抗菌性指サックにおいては、さらに、指サックの指先部の表面に抗菌作用を有する銅又は銀の薄膜層（ＣＬ）からなる先端抗菌性部材が設けられている。このように先端抗菌性部材が指サックの指先部に設けられていることにより、エレベーターのボタンを押す際やタッチパネルを操作する際にも、抗菌性作用を有する指サックの先端部を介して操作することができるので、感染力のある菌やウイルスが手に付着する危険性を低減させることができる。なお、薄膜層ＣＬは、適宜の方法で形成することができる。例えば、抗菌性を有する銅や銀を蒸着、又は、銅粉や銀粉を塗装すれば良い。
【００３８】
また、図３に示す抗菌性指サックにおいては、上部及び下部の抗菌性部材Ｃ１２、Ｃ２２が全円周方向に延在する銅管ではなく、断面円弧状の銅管で構成されている。この円弧状の周方向長さは、円弧でない全円とした場合の円周全長の２０％以上９０％以下に設定されている。
【００３９】
手で物を掴む動作は、手の掌側で行うので、掌側に抗菌性部材があれば用は足りる。一方、抗菌性部材を断面円弧状とし、背面（手の甲側）に開口部を設けることで、指サック基体との貼り付けが容易になるとともに、貼り付け後の指の動きが容易となる。銅管の円弧の長さは、リング（管）の円周の２０％〜９０％が好ましい。２０％未満であれば基体となる指サックの部分にウイルスが付着する機会が増える。９０％を超えるとコスト高になるのと、指サック基体との貼り付け作業がやや困難を伴うものとなる。
【００４０】
さらに、図４の断面図に示されるとおり、本実施形態に係る抗菌性指サックにおいては、ベースとなる指サックＡ１と上部抗菌性部材Ｃ１２が、面ファスナーＭにより着脱可能に貼り合わされている。このように、指サック基体Ａ１と上部抗菌性部材Ｃ１２とが着脱可能に貼り合わされていることにより、上部抗菌性部材Ｃ１２と指サック基体Ａ１を簡単に取り外すことができるので、例えば、長時間使用し破損してしまった指サック基体Ａ１や、上部抗菌性部材Ｃ１２のみの交換を容易に行うことができるという利点が得られる。なお、下部抗菌性部材Ｃ２２についても同様である（図示せず）。
【実施例３】
【００４１】
図５は、人差し指用の抗菌性指サックと、中指用の抗菌性指サックの２本を１セットにした抗菌性指サックである。セットにされた２本の指サックはつなぎ合わされていても良く、別々であっても良い。これにより、１本指用の指サックを２本装着するのと同じ効果が得られる。なお、図では人差し指と中指の２本でセットになった抗菌性指サックを使用しているが、中指と薬指で使用しても良い。また、親指を含めた３本の抗菌性指サックを１セットにしても良い。さらには、上述した本考案に係る抗菌性指サックを、手の５指から適宜選ばれる２本、３本、４本、又は５本指用に組合わせて、一つの抗菌性指サックセットとしても良い。この場合、ここの指用の抗菌性指サックは、別々であっても良いし、連結部によって互いに連結されていても良い。
【産業上の利用可能性】
【００４２】
本考案の抗菌性指サックは、比較的安価に提供でき、装着時の指の動きや脱着作業が容易であるとともに、不特定多数の人が触れ、ウイルスや菌が付着した部位に触れた場合であっても、装着者への菌の感染を効率的に予防できるものである。例えば電車での吊革、公衆トイレ等のドアノブ、エスカレーターの手摺り、スーパーでのカート、エレベーターのボタンに触れる場合など、その活用の場は限りなく、多大な産業上の利用可能性が期待されるものである。
【符号の説明】
【００４３】
Ａ１、Ａ２          指サック基体
Ｃ１１、Ｃ１２      上部抗菌性部材
Ｃ２１、Ｃ２２      下部抗菌性部材
ＣＬ                先端抗菌性部材
Ｍ                  面ファスナー
【図１】
0003228329.tif 000003
【図２】
0003228329.tif 000004
【図３】
0003228329.tif 000005
【図４】
0003228329.tif 000006
【図５】
0003228329.tif 000007